(57)【要約】【課題】本考案は、紐が一本で、短く軽く絡みにくく、日常は携帯時にかさばらず、必要な時等に、極めて容易にレジ袋等への脱着が自在で、レジ袋を挟持しても破れにくい背負い紐を提供することを目的とする。【解決手段】上記目的を達成させるために、本考案の背負い紐１は、手提げ買い物袋を背負うための背負い紐であって、一本の帯状の紐１０と、紐１０の両端に固定された一対の挟持クリップ１１ａ、１１ｂとを備え、一対の挟持クリップ１１ａ、１１ｂの一方は手提げ用買い物袋の袋底部の所望の端部を挟持し、一対の挟持クリップ１１ａ、１１ｂの他方はその近傍又は別の端部に挟持し、一対の挟持クリップ１１ａ、１１ｂが前記手提げ用買い物袋の袋底部を挟持した状態で、紐１０は手提げ買い物袋の手提げ部の孔に挿通させて、紐１０を肩に掛けて手提げ買い物袋を背負うものであることを特徴とする。【選択図】図１
0003197371.tif 000002
【実用新案登録請求の範囲】
【請求項１】
手提げ買い物袋を背負うための背負い紐であって、
一本の帯状の紐と、該紐の両端に固定された一対の挟持クリップとを備え、
前記一対の挟持クリップの一方は前記手提げ用買い物袋の袋底部の所望の端部を挟持し、前記一対の挟持クリップの他方は前記手提げ用買い物袋の袋底部の前記端部の近傍又は別の端部に挟持し、前記一対の挟持クリップが前記手提げ用買い物袋の袋底部を挟持した状態で、前記紐は前記手提げ買い物袋の手提げ部の孔に挿通させて、前記紐を肩に掛けて手提げ買い物袋を背負うことを特徴とする背負い紐。
【請求項２】
前記挟持クリップは、前記手提げ用買い物袋を挟持する一対の挟持部と、一対の操作部と、前記一対の操作部を操作することにより前記一対の挟持部を開閉するためのヒンジと、静止状態で前記一対の挟持部が閉じた状態を維持する弾性体とを備えることを特徴とする請求項１に記載の背負い紐。
【請求項３】
前記挟持クリップは、前記一対の挟持部が互いに当接する面に凹凸を備えることを特徴とする請求項２に記載の背負い紐。
【請求項４】
前記挟持クリップは、前記一対の挟持部が互いに当接する面にシリコン又はゴムを装着していることを特徴とする請求項２に記載の背負い紐。
【請求項５】
前記挟持クリップは、長手形状の本体部材と、長手形状の操作部材とを備え、
前記操作部材はその一端において前記本体部材に対して回動可能であるように前記本体部材の一端と結合しており、かつ、その他端において前記本体部材の他端に対して係止可能であり、
前記本体部材は凸形状を有する縦断面を有しており、
前記操作部材は前記凸形状に対応する凹形状を有しており、
前記凸形状と前記凹形状とは、前記操作部材を前記本体部材に対して係止させた状態において前記本体部材と前記操作部材との間に隙間が形成される位置関係にあることを特徴とする請求項１に記載の背負い紐。
【請求項６】
前記操作部材は前記本体部材の外側形状に対応する内側形状を有することを特徴とする請求項５に記載の背負い紐。
【請求項７】
前記隙間は前記本体部材及び前記操作部材の長手方向の少なくとも一部分において形成されることを特徴とする請求項５又は６に記載の背負い紐。
【請求項８】
前記挟持クリップは、前記本体部材と前記操作部材とが互いに当接する面に凹凸を備えることを特徴とする請求項５ないし７のいずれかに記載の背負い紐。
【請求項９】
前記挟持クリップは、前記本体部材と前記操作部材とが互いに当接する面にシリコン又はゴムを装着していることを特徴とする請求項５ないし７のいずれかに記載の背負い紐。
【考案の詳細な説明】
【技術分野】
【０００１】
この考案は、背負い紐、特にいわゆるレジ袋用の背負い紐に関する。
【背景技術】
【０００２】
スーパーマーケットやコンビニエンスストア等の小売店において、購入した商品は、レジで渡される買い物袋、いわゆるレジ袋に入れて持ち帰ることが多い。また、旅先で買い物をしたり、お土産等を購入したりした場合にも、このようなレジ袋に入れることも少なくないが、荷物が増えて重くなったときは、手で持つことが困難になる。さらに、荷物等を運搬しながら、携帯電話の使用やスマートフォンの使用等しなければならない場合もある。またさらに、突然の災害時や急な天候の変化時に両手を使用しなければならない場合もある。
【０００３】
荷物は手に持つよりも背負って運搬する方が楽なことは周知の事実であり、荷物を背負って運搬するリュックサック等を持参すれば、上記の問題は解決できる。しかし、日常生活の買い物においても、旅行等においても、わざわざリュックサック等を持参するということは少ないし、リュックサック等は畳んで持参してもそれ自体が重くかさばってじゃまになる。また、ちょっとした買い物をする場合に手ぶらで出かけることも多く、外出するときに、最初からほとんど空のリュックサック等を背負って行くことは煩わしく体裁も悪い。
【０００４】
リュックサックの機能を発揮する発明や考案がいくつか提案されている。特許文献１に係る発明は、日常背負うことが困難な物を、荷物の容量や形状に関係なしに背負うことができる、数個のリングに数本の強度のあるベルト、テープやロープ、紐類等を接合しそれぞれのベルトには調節金具や着脱金具を有してリュックの機能を果たすことのできるベルトリュックを提案している。しかしながら、ベルトリュックは日常背負うことが困難な物を背負うことを目的としているため、複数のリングや複数のベルト、テープやロープ、紐類等を接合し調節金具や着脱金具を用いてその目的に対応できるようにしている。そのために重量が重くなり、絡まりやすくなるので日常携帯するには適さないという問題がある。
【０００５】
特許文献２に係る発明は、提げ鞄等の把手部を保持する保持具を設けた背負いバンドを一対設け、この背負いバンドに手提げ鞄等を保持し、リュックサックのように背中に手提げ鞄等を背負うことができる手提げ鞄等の背負い具を提案している。しかしながら、手提げ鞄等の背負い具は保持具を枢設した二本の保持バンドと一対の背負いバンドと連接バンドで構成されており、バンドが複数となり絡まりやすいので日常携帯するには適さないという問題がある。また二つの保持具で保持する作業と二つの固定具で固定する作業、場合によっては連接バンドに設けた調整金具を調整する作業とがあり煩雑であるという問題がある。
【０００６】
特許文献３に係る発明は、長さ調節を可能にする留め具を有した一本のバンドで、その両端と荷物の提げ手をつなぐ三又フックを有し、バンドを挟み込むための切込みを有した固定板と荷物とその荷物に取り付けられたバンドでリュックサック状を形成し簡単に荷物を背負える形にするリュックバンド及び荷物背負い方法を提案している。しかしながら、リュックバンド及び荷物背負い方法のリュックバンドは、バンドと固定板の二つで構成されているので、組み合わせるものはそれぞれバラバラになりやすく日常携帯するには適さないという問題がある。またバンドは一本で構成されているが背負い部が非常に長いため絡みやすく、日常携帯するには適さないという問題がある。さらに荷物の固定のために粘着剤を使用するので常に粘着力の確認が必要になり煩雑である。場合によっては粘着剤も一緒に携帯することが必要になり簡易性という点において問題がある。
【０００７】
特許文献４に係る考案は、一端に留め部が形成されていて、該留め部から先が接続具によって離合できる帯状の二本の紐で、この２本の紐はそれぞれの先端部に連結具を備えていて、手提げ付の荷物の下方から表面の中央部に留め部を当てがい、分離した二本の紐の連結具側を手提げ付荷物の手提げ部の付け根にそれぞれ巻き付けて掛けるとともにその先端部にある連結具と留め部とを結合することによって背負うための腕を通せる二つの輪を作り、ここに肩を通して手提げ付の荷物を背負うとその表面をＸ字状に固定して背負うことが可能となる背負い紐を提案している。しかしながら、このような背負い紐では、頑丈な材質の鞄や買い物袋を背負うことはできても、レジ袋のように入れられた商品の内容や数量によって荷姿が変化する袋を背負うことは困難である。
【先行技術文献】
【特許文献】
【０００８】
【特許文献１】実開平６−２４５２９号公報
【特許文献２】実開平６−８２９２６号公報
【特許文献３】特開２００３−５２４４１号公報
【特許文献４】実用新案登録第３１２１４９９号公報
【考案の開示】
【考案が解決しようとする課題】
【０００９】
いわゆるレジ袋の素材は、ポリエチレンの中で最も薄くても強いＨＤＰＥ（高密度ポリエチレン）を使用したものが一般的であるが、素材が強いといっても、破れやすいといえる。この考案は、上記のような問題を解決するためになされたもので、紐が一本で、短く軽く絡みにくく、日常は携帯時にかさばらず、必要な時等に、極めて容易にレジ袋等への脱着が自在で、レジ袋を挟持しても滑らず破れにくい背負い紐を提供することを目的とするものである。
【課題を解決するための手段】
【００１０】
上記目的を達成させるために、本考案の背負い紐は、手提げ買い物袋を背負うための背負い紐であって、一本の帯状の紐と、該紐の両端に固定された一対の挟持クリップとを備え、一対の挟持クリップの一方は手提げ用買い物袋の袋底部の所望の端部を挟持し、一対の挟持クリップの他方はその近傍又は別の端部に挟持し、一対の挟持クリップが前記手提げ用買い物袋の袋底部を挟持した状態で、紐は手提げ買い物袋の手提げ部の孔に挿通させて、紐を肩に掛けて手提げ買い物袋を背負うものであることを特徴とする。
【００１１】
なお、挟持クリップは、手提げ用買い物袋を挟持する一対の挟持部と、一対の操作部と、一対の操作部を操作することにより一対の挟持部を開閉するためのヒンジと、静止状態で一対の挟持部を閉じた状態に維持する弾性体とを備えるようにしてもよい。さらに、挟持クリップは、一対の挟持部が互いに当接する面に凹凸を備えるようにしたり、シリコン等を装着するようにしたりして、手提げ用買い物袋を挟持しても外れないようにすると好適である。
【００１２】
また、挟持クリップは、長手形状の本体部材と、長手形状の操作部材とを備え、
操作部材はその一端において本体部材に対して回動可能であるように本体部材の一端と結合し、かつ、その他端において本体部材の他端に対して係止可能になるような構成としてもよい。なお、本体部材は凸形状を有する縦断面を有し、操作部材は凸形状に対応する凹形状を有し、凸形状と凹形状とは、操作部材を本体部材に対して係止させた状態において本体部材と操作部材との間に隙間が形成される位置関係にあるような構成にすることにより、買い物袋が挟持クリップから外れにくくなる。なお、操作部材は本体部材の外側形状に対応する内側形状を有すると好適である。また、隙間は本体部材及び操作部材の長手方向の少なくとも一部分において形成されるとよい。
【００１３】
さらに、挟持クリップは、前記本体部材と前記操作部材が互いに当接する面に凹凸を備えるようにしたり、シリコン等を装着するようにしたりして、手提げ用買い物袋を挟持しても外れないようにすると好適である。
【考案の効果】
【００１４】
本考案の背負い紐によれば、本考案の背負い紐は、必要な時等に、極めて容易にレジ袋等への脱着が自在で、レジ袋を挟持しても滑らず、使用者はレジ袋を背負うことで両手を使用することができる。また、本考案の背負い紐によれば、構造が簡単であるため、製造コストが安価で済む。
【図面の簡単な説明】
【００１５】
【図１】本考案に係る背負い紐１を模式的に示す図である。
【図２】本考案に係る背負い紐１の挟持クリップ１１の斜視図である。
【図３】本考案に係る背負い紐１をレジ袋Ｒに取り付けた状態を示す図である。
【図４】本考案に係る背負い紐１をマチのある手提げ買い物袋Ｒに取り付けた状態を示す図である。
【図５】本考案に係る背負い紐１をレジ袋Ｒに取り付け、使用者が背負った状態を示す側面図である。
【図６】変形形態の挟持クリップ２１を示す図である。
【図７】挟持クリップ２１をレジ袋Ｒの袋底面を挟み込む状態を示す図である。
【図８】本考案に係る背負い紐２をレジ袋Ｒに取り付けた状態を示す図である。
【考案を実施するための形態】
【００１６】
以下、本考案の実施の形態を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施の形態に限られるものではない。
【実施例１】
【００１７】
実施例１を図面を参照して詳細に説明する。
【００１８】
図１は、本考案に係る背負い紐１を模式的に示す図である。本考案に係る背負い紐１は、主にレジ袋Ｒを背負うための背負い紐１であって、一本の帯状の紐１０と、紐１０の両端に固定された一対の挟持クリップ１１ａ、１１ｂとを備える。紐１０は、綿や合成繊維等を編んだ紐状体や帯状体を用いるとよい。
【００１９】
図２は、本考案に係る背負い紐１の挟持クリップ１１の斜視図である。図２に示すとおり、挟持クリップ１１は、レジ袋Ｒ等を挟持する挟持部１１０ａ、１１０ｂと、操作部１１１ａ、１１１ｂと、操作部１１１ａ、１１１ｂ同士を操作することにより挟持部１１０ａ、１１０ｂを開閉するためのヒンジ１１２と、静止状態で挟持部１１０ａ、１１０ｂを閉じた状態を維持する弾性体１１３とを備える。なお、挟持部１１０ａ、１１０ｂの面積は大きい方が好ましい。レジ袋Ｒを摩擦力により挟持しうるからである。また、挟持部１１０ａ、１１０ｂの挟持する面に凹凸を設けたり、シリコンやゴム等を貼付したりして、レジ袋Ｒが挟持部１１０ａ、１１０ｂから滑って外れないようにするとなおよい。弾性体１１３は特に限定するものではないが、つるまきバネや板バネを用いるとよい。
【００２０】
図３ないし５を参照する。図３は、本考案に係る背負い紐１をレジ袋Ｒに取り付けた状態で、（ａ）は背負い紐１をレジ袋Ｒに取り付ける状態を示し、（ｂ）はレジ袋Ｒを背負ったときの状態を示す図である。図４は、本考案に係る背負い紐１をマチのある手提げ買い物袋Ｒに取り付けた状態を示す図である。図５は、本考案に係る背負い紐１をレジ袋Ｒに取り付け、使用者Ｈが背負った状態を示す側面図である。図３（ａ）に示すとおり、挟持クリップ１１ａはレジ袋Ｒの袋底部の所望の端部を挟持し、挟持クリップ１１ｂは別の端部に挟持し、一対の挟持クリップ１１ａ、１１ｂがレジ袋Ｒの袋底部を挟持した状態で、紐１０はレジ袋Ｒの手提げ部の孔を挿通させて、紐１０を肩に掛けてレジ袋Ｒを背負うことができる。なお、図３（ｂ）に示すとおり、レジ袋Ｒを使用者Ｈが背負うと、通常買い物商品がレジ袋Ｒに収納されるため、商品等の重みでレジ袋Ｒの手提げ部を紐１０がつり上げる状態となる。一方、図４を参照すると、側面の底面にマチがある手提げ買い物袋Ｂに、本考案に係る背負い紐１を使用する場合には、該マチに一対の挟持クリップ１１ａ、１１ｂ（図に示していない）を挟持するとよい。このように、レジ袋等に本考案に係る背負い紐１を装着すると、図５に示すとおり、使用者Ｈは必要な時等に、極めて容易にレジ袋Ｒ等への脱着が自在であることが理解されるであろう。
【実施例２】
【００２１】
実施例２を図面を参照して詳細に説明する。
【００２２】
本考案に係る背負い紐２は、実施例１に係る背負い紐２と同様に、一本の帯状の紐２０と、紐２０の両端に固定された一対の挟持クリップ２１ａ、２１ｂとを備える。紐２０は、綿や合成繊維等を編んだ紐状体や帯状体を用いるとよい。
【００２３】
図６を参照する。図６は、変形形態の挟持クリップ２１を示す図である。本考案に係る挟持クリップ２１は、長手形状の本体部材２１０ａと、長手形状の操作部材２１０ｂとからなる。図６（ａ）は挟持クリップ２１における本体部材２１０ａ及び操作部材２１０ｂの断面図である。図６（ｂ）は挟持クリップ２１における本体部材２１０ａ及び操作部材２１０ｂの斜視図である。図６（ａ）に示すとおりに、本体部材２１０ａは上方に凸の形状をなす縦断面を有している。操作部材２１０ｂは本体部材２１０ａの外側形状に対応する内側形状を有している。図６（ｂ）に示すように、操作部材２１０ｂはその一端において本体部材２１０ａの一端と結合している。さらに、操作部材２１０ｂはその他端（自由端）において本体部材２１０ａの他端に対して係止可能に構成されている。すなわち、本体部材２１０ａの他端には、上下方向に延びる空洞を形成する爪受け部２１４が形成されている。操作部材２１０ｂにはその先端において突起状の爪２１３が形成されている。
【００２４】
操作部材２１０ｂを本体部材２１０ａに嵌め込むと、操作部材２１０ｂの爪２１３が本体部材２１０ａの爪受け部２１４の空洞に入り込む。そうすると、操作部材２１０ｂは本体部材２１０ａに対して係止された状態となる。
【００２５】
図７は、挟持クリップ２１をレジ袋Ｒの袋底面を挟み込む状態を示す図で、（ａ）は、操作部材２１０ｂが本体部材２１０ａに対して係止される直前の状態における本体部材２１０ａ及び操作部材２１０ｂの断面図で、（ｂ）は操作部材２１０ｂが本体部材２１０ａに対して係止した状態における本体部材２１０ａ及び操作部材２１０ｂの断面図である。
【００２６】
図７（ｂ）に示すように、挟持クリップ２１においては、本体部材２１０ａ及び操作部材２１０ｂは、操作部材２１０ｂを本体部材２１０ａに対して係止させた状態において、本体部材２１０ａと操作部材２１０ｂとの間に隙間２２０が形成される位置関係にある。隙間２２０の幅又は厚みは一定にするとよい。このような隙間２２０の存在により、レジ袋Ｒよりも分厚い素材の手提げ買い物袋に対して、本考案に係る背負い紐２を使用することが可能になる。
【００２７】
図８を参照する。図８は、本考案に係る背負い紐２をレジ袋Ｒに取り付けた状態を示す図である。図８に示すとおり、挟持クリップ２１ａはレジ袋Ｒの袋底部の所望の端部を挟持し、挟持クリップ２１ｂは別の端部に挟持し、一対の挟持クリップ２１ａ、２１ｂがレジ袋Ｒの袋底部を挟持した状態で、紐２０はレジ袋Ｒの手提げ部の孔を挿通させて、紐２０を肩に掛けてレジ袋Ｒを背負うことができる。
【００２８】
なお、実施例２に係る背負い紐２は上記の構成に限定されるものではなく、種々の改変を加えることが可能である。例えば、本体部材２１０ａは凸形状として四角形形状断面の突起部分を有するものとして構成されているが、凸形状は四角形形状には限定されない。例えば、凸形状として、三角形、半円形、多角形などの任意の形状を採用することも可能である。また、連結部２１２は、帯状部材であり、操作部材２１０ｂと本体部材２１０ａとを連結しているが、操作部材２１０ｂはその一端１２３において本体部材２１０ａに対して回動可能であるようにヒンジ部材を介して本体部材２１０ａと結合させるように構成してもよい。
さらに、操作部材２１０ｂをその他端（自由端）において本体部材２１０ａに対して係止する構造は実施例２において示した構造に限定されるものではなく、他の任意の構造を選択することも可能である。また、操作部材２１０ｂと本体部材２１０ａが当接する面に凹凸を設けたり、シリコンやゴム等を貼付したりして、レジ袋Ｒが挟持部１１０ａ、１１０ｂから滑って外れないようにしてもよい。
【００２９】
以上、本考案に係る背負い紐における好ましい実施形態を図示して説明してきたが、本考案の技術的範囲を逸脱することなく種々の変更が可能であることは理解されるであろう。
【産業上の利用可能性】
【００３０】
本考案の背負い紐は、必要な時等に、極めて容易にレジ袋等への脱着が自在で、レジ袋を挟持しても滑らず、使用者はレジ袋を背負うことで両手を使用することができる。なお、レジ袋だけでなく手提げ用買い物袋であれば広く適用できる汎用性を有する。
【符号の説明】
【００３１】
１  ２  背負い紐
１０  ２０  紐
１１ａ  １１ｂ  ２１ａ  ２１ｂ  挟持クリップ
１１０ａ  １１０ｂ  挟持部
１１１ａ  １１１ｂ  操作部
１１２  ヒンジ
１１３  弾性体
２１０ａ  本体部材
２１０ｂ  操作部材
２１２  連結部
２１３  爪
２１４  爪受け部
Ｒ  レジ袋
Ｈ  使用者
【図１】
0003197371.tif 000003
【図２】
0003197371.tif 000004
【図３】
0003197371.tif 000005
【図４】
0003197371.tif 000006
【図５】
0003197371.tif 000007
【図６】
0003197371.tif 000008
【図７】
0003197371.tif 000009
【図８】
0003197371.tif 000010